(57)【要約】【課題】野菜、果物植物に容易に装着させて土壌を被覆し、高温障害、土壌乾燥、土のはね返り、雑草等の防止を図れるとともに、構造が簡単で安価である野菜、果物等の基部土被覆板を提供する。【解決手段】野菜、果物等植物の基部周辺の土壌表面を覆う被覆板であって、被覆板は、野菜、果物等植物の茎１０２を貫通状に通す貫通部１２と、貫通部１２に連通しつつ貫通部１２から被覆板１０の外縁部に連続して外部からの挿入動作で貫通部の貫通位置に装着させる挿入路手段１４と、を有し、被覆板１０を貫通位置に装着した状態で野菜、果物等植物を栽培することを特徴とする野菜、果物等の基部土被覆板１０から構成される。【選択図】図１
2005034087.tif 000002
【特許請求の範囲】
【請求項１】
野菜、果物等植物の基部周辺の土壌表面を覆う被覆板であって、
被覆板は、野菜、果物等植物の茎の地上側を貫通状に通す貫通部と、
貫通部に連通しつつ貫通部から被覆板の外縁部に連続して外部からの挿入動作で貫通部の貫通位置に装着させる挿入路手段と、を有し、
被覆板を貫通位置に装着した状態で野菜、果物等植物を栽培することを特徴とする野菜、果物等の基部土被覆板。
【請求項２】
挿入路手段は、貫通部から被覆板の外縁に向けて連続して切り込まれ常時は切り口面を密着状に閉止させて貫通部での貫通状態で該野菜、果物等植物の茎部分に被覆板を係着させる切り込みを有し、
被覆板の挿入時に切り込みを広げて被覆板を挿入させるとともに、貫通部の貫通位置に装着した際に切り口面の密着閉止状態に復帰させる請求項１記載の野菜、果物等の基部土被覆板。
【請求項３】
挿入路手段は、被覆板本体の切り込みに沿うように設けられ切り込み線を含んで押し立て、復帰自在に形成された細長状耳部を有する請求項２記載の野菜、果物等の基部土被覆板。
【請求項４】
挿入路手段は、貫通部と被覆板の外縁とを連通させる挿入溝からなる請求項１記載の野菜、果物等の基部土被覆板。
【請求項５】
貫通部は、野菜、果物等植物の茎部分を通す貫通孔からなる請求項１ないし４のいずれかに記載の野菜、果物等の基部土被覆板。
【請求項６】
貫通部は、野菜、果物等植物の茎部分の貫通位置に設けられ該貫通位置を中心として放射状に設けられた複数の押し立て用切り込みを含み、切り込み片を押し立て状態で貫通孔を形成させつつ被覆板を野菜、果物等植物の茎部分に装着させる請求項１ないし４のいずれかに記載の野菜、果物等の基部土被覆板。
【請求項７】
被覆板は、自己分解性の板部材からなる請求項１ないし６のいずれかに記載の野菜、果物等の基部土被覆板。
【請求項８】
被覆板の外縁部の上面側への反りを防止する反り防止用屈曲部が形成された請求項１ないし７のいずれかに記載の野菜、果物等の基部土被覆板。
【請求項９】
被覆板は、畝の長手方向に長く形成されて離隔定植位置の複数の野菜、果物等植物の茎部分に同時に装着し得る複数の貫通部とそれに連係する挿入路手段とをそれぞれ有する請求項１ないし８のいずれかに記載の野菜、果物等の基部土被覆板。
【発明の詳細な説明】
【技術分野】
【０００１】
本発明は、例えば、畑、ハウス等で種々の野菜、果物等を栽培する際に用いられる野菜、果物等の基部土被覆板に関するものである。
【背景技術】
【０００２】
例えば、ナスやトマト、ジャガイモ、スイカ、メロン等の野菜、果物は、土の乾燥に弱く、栽培する際には枯らさないように土壌を保湿しておくことが必要である。一方、例えば、梅雨時など雨の多い時期には、雨でぬかるんだ地面に雨粒が落下することによって泥がはね返り、野菜、果物の葉や果実に泥が付着して、葉或は野菜、果物植物自体が枯れたり、病気を起こしたり、又は果実の品質が低下する等の問題が生じる。これに対して、従来より、例えば、農業用マルチフィルム（例えば、特許文献１等参照）を畝全面に敷設して、野菜、果物等を栽培する場合がある。従来の農業用マルチフィルムは、例えば、透水性のないビニル等の合成樹脂フィルムからなり、フィルムで土壌表面を覆うことによって内側を保湿して土が乾燥するのを防いでいるとともに、多雨時期には雨をはじいて土のはね返り等を防止している。
【特許文献１】特開平８−５９８８３号
【発明の開示】
【発明が解決しようとする課題】
【０００３】
しかしながら、農業用マルチフィルムは土壌全体を覆っていることから、例えば、夏の暑い時期には、野菜、果物の根元付近に強い太陽光が当り、マルチフィルム内側は温室状態で土の温度が、例えば、５０〜６０℃程度に上昇し、高温で野菜、果物が枯れてしまう等の高温障害が生じていた。また、従来の農業用マルチフィルムは、薄いビニル等のフィルムからなるので破れやすく、破れた部分から雑草が発育してしまっていた。また、破れたビニル破片は土壌で自然分解されにくく、長期に渡って土中に残り、土壌環境を悪化させるものであった。農業用マルチフィルムを敷設する際には、数十ｍの畝の長手方向に沿って長くマルチフィルムを敷設していき、その後、マルチフィルムの裾側に土を載せていかなければならないので、作業が煩雑であるとともに多くの労力が必要であった。従って、防草効果等を保持しつつ高温障害を防止できるとともに、簡便な土壌の被覆手段の出現が望まれていた。
【０００４】
本発明は上記従来の課題に鑑みてなされたものであり、その一つの目的は、該野菜、果物植物に容易に装着させて土壌を被覆し、高温障害、土壌乾燥、土のはね返り、雑草等の防止を図れるとともに、構造が簡単で安価である野菜、果物等の基部土被覆板を提供することにある。また、他の目的は、土壌に悪影響を及ぼさない野菜、果物等の基部土被覆板を提供することにある。
【課題を解決するための手段】
【０００５】
上記課題を解決するために、本発明は、野菜、果物等植物の基部周辺の土壌表面を覆う被覆板であって、被覆板は、野菜、果物等植物（１００）の茎１０２の地上側を貫通状に通す貫通部１２と、貫通部１２に連通しつつ貫通部１２から被覆板１０の外縁部に連続して外部からの挿入動作で貫通部１２の貫通位置に装着させる挿入路手段１４と、を有し、被覆板１０を貫通位置に装着した状態で野菜、果物等植物（１００）を栽培することを特徴とする野菜、果物等の基部土被覆板１０から構成される。被覆板１０の形状や、大きさ、厚さ等は、野菜、果物等の種類等によって任意に設定される。例えば、野菜、果物等の葉の広がりや、つる状の茎の伸び等によりその大きさを設定しても良い。被覆板１０は、材料コスト、加工しやすさ、耐久度等の点でダンボールで形成すると好適であるが、その他、紙質や木製、プラスチック等の比較的硬質の合成樹脂等から形成されていても良い。貫通部１２は、例えば、Ｕ字状の切れ込みを有し、その切れ込み片を押し立てて貫通孔を形成した状態で被覆板を栽培植物の茎部分に装着させることとしてもよく、その他任意構成としても良い。被覆板は、マルチシートを張った土壌の上面を被覆させても良い。
【０００６】
また、挿入路手段１４は、貫通部１２から被覆板１０の外縁に向けて連続して切り込まれ常時は切り口面を密着状に閉止させて貫通部１２での貫通状態で該野菜、果物等植物の茎１０２部分に被覆板１０を係着させる切り込み２２を有し、被覆板１０の挿入時に切り込みを広げて被覆板１０を挿入させるとともに、貫通部１２の貫通位置に装着した際に切り口面の密着閉止状態に復帰させることとしてもよい。なお、切り込み２０は、製造しやすくかつ挿入動作時に植物を傷付けにくくするために直線状のものが好適であるが、それに限らず、例えばのこぎり刃状や波形あるいはその他任意形状でもよい。
【０００７】
また、挿入路手段１４は、被覆板１０本体の切り込み２２に沿うように設けられ切り込み線を含んで押し立て、復帰自在に形成された細長状耳部３４を有することとしてもよい。細長状耳部３４の形状は、例えば、挿入路手段の挿入口側に向けて広がった細長略三角形状、或はその逆で貫通部側に向けて広がった細長略三角形状、又は、細長長方形状、細長略台形状等、その他任意の形状でも良い。細長状耳部の形状に応じて挿入路が形成される。
【０００８】
また、挿入路手段１４は、貫通部１２と被覆板１０の外縁とを連通させる挿入溝３２からなることとしてもよい。挿入溝３２の溝幅は、茎からの離脱をしにくくするために貫通孔の径より小さい方が好ましい。また、挿入溝は、直線状、蛇行状等任意の形状で形成しても良い。
【０００９】
また、貫通部１２は、野菜、果物等植物の茎１０２部分を通す貫通孔２０からなることとしてもよい。貫通孔２０の形状は、円形、三角形、四角形等の多角形、その他任意形状でも良い。貫通孔の大きさは、野菜、果物等植物の茎の太さに対応させて形成すると良い。
【００１０】
また、貫通部１２は、野菜、果物等植物の茎１０２部分の貫通位置に設けられ該貫通位置を中心として放射状に設けられた複数の押し立て用切り込み２８を含み、切り込み片３０を押し立て状態で貫通孔を形成させつつ被覆板１０を野菜、果物等植物の茎１０２部分に装着させることとしてもよい。被覆板は、例えば、ダンボール紙板、プラスチック板等のある程度の可撓性と自己復帰力を有した素材を選択することにより、単に被覆板に切り込みを入れるだけで貫通部を形成でき、切り込み片を押し立てながら栽培植物の茎を貫通させて、切り込み片を栽培植物の茎１０２に係着させた状態で装着させることができる。
【００１１】
また、被覆板１０は、自己分解性の板部材からなることとしてもよい。被覆板１０は、例えば、ダンボール紙板、厚紙や木製の薄板、生分解性プラスチック、その他任意の自己分解性の素材から形成してもよい。
【００１２】
また、被覆板１０の外縁部の上面側への反りを防止する反り防止用屈曲部１８が形成されたこととしてもよい。屈曲部１８は、畝の大きさに対応して任意位置に形成してもよい。
【００１３】
また、被覆板１０は、畝１０４の長手方向に長く形成されて離隔定植位置の複数の野菜、果物等植物の茎１０２部分に同時に装着し得る複数の貫通部１２とそれに連係する挿入路手段１４とをそれぞれ有することとしてもよい。
【発明の効果】
【００１４】
本発明の野菜、果物等の基部土被覆板は、野菜、果物等植物の基部周辺の土壌表面を覆う被覆板であって、被覆板は、野菜、果物等植物の茎の地上側を貫通状に通す貫通部と、貫通部に連通しつつ貫通部から被覆板の外縁部に連続して外部からの挿入動作で貫通部の貫通位置に装着させる挿入路手段と、を有し、被覆板を貫通位置に装着した状態で野菜、果物等植物を栽培する構成であるから、野菜、果物等の基部土に太陽光があたるのを防ぎ、土の温度が上昇するのを防いで植物の高温障害を防止するとともに、土壌の乾燥、雑草の生育を防止でき、さらには、雨天時に土のはね返りによる野菜、果物等に泥が付着するのを防止し、野菜、果物等の栽培を良好に行うことができる。同時に、簡単な構造で、低コストで製造できるとともに、所定位置への設置も簡単に行え、低労力で、簡便に使用できる。
【００１５】
また、挿入路手段は、貫通部から被覆板の外縁に向けて連続して切り込まれ常時は切り口面を密着状に閉止させて貫通部での貫通状態で該野菜、果物等植物の茎部分に被覆板を係着させる切り込みを有し、被覆板の挿入時に切り込みを広げて被覆板を挿入させるとともに、貫通部の貫通位置に装着した際に切り口面の密着閉止状態に復帰させる構成とすることにより、簡単な構成で容易に製造できるとともに、簡単に被覆板を栽培植物の茎に脱着させることができるので労力が低減でき、さらに、被覆板の栽培植物の茎に対する装着状態を維持し、被覆板の土壌の被覆状態を確実に維持できる。
【００１６】
また、挿入路手段は、被覆板本体の切り込みに沿うように設けられ切り込み線を含んで押し立て、復帰自在に形成された細長状耳部を有する構成とすることにより、簡単な構成で容易に製造できるとともに、被覆板を栽培植物の茎に脱着する作業を簡便にさせることができ、さらに、被覆板の栽培植物の茎に対する装着状態を維持して被覆板の土壌の被覆状態を確実に維持できる。
【００１７】
また、挿入路手段は、貫通部と被覆板の外縁とを連通させる挿入溝からなる構成とすることにより、挿入溝を介して簡単な操作で栽培植物の茎部分を被覆板の貫通部の貫通位置に配置させることができ、少ない労力で被覆板を所定位置に設置できる。
【００１８】
また、貫通部は、野菜、果物等植物の茎部分を通す貫通孔からなる構成とすることにより、簡単な構成で、栽培植物の茎がその成長が阻害されることなく被覆板を装着させることができる貫通部を具体的に実現できる。
【００１９】
また、貫通部は、野菜、果物等植物の茎部分の貫通位置に設けられ該貫通位置を中心として放射状に設けられた複数の押し立て用切り込みを含み、切り込み片を押し立て状態で貫通孔を形成させつつ被覆板を野菜、果物等植物の茎部分に装着させる構成とすることにより、押し立てた切り込み片が栽培植物の茎部分に係着し、例えば、風等によって被覆板が栽培植物の茎に対して移動するのを防ぎ、被覆板の土壌表面の被覆状態を維持するとともに、被覆板が栽培植物の茎や葉を傷つけるのを防止できる。
【００２０】
また、被覆板は、自己分解性の板部材からなる構成とすることにより、畑に放置しておいても、風雨等にさらされて自然に分解するので、土壌環境を悪化させることがないともに被覆板の除去、廃棄作業等を必ずしも行わなくてもよく、労力が軽減される。
【００２１】
また、被覆板の外縁部の上面側への反りを防止する反り防止用屈曲部が形成された構成とすることにより、簡単な構成で、例えば、ダンボール板等からなる被覆板が一端雨に濡れた後、乾燥する際に、被覆板が反るのを防止でき、被覆板が土壌表面を被覆した状態を良好に維持できる。
【００２２】
また、被覆板は、畝の長手方向に長く形成されて離隔定植位置の複数の野菜、果物等植物の茎部分に同時に装着し得る複数の貫通部とそれに連係する挿入路手段とをそれぞれ有する構成とすることにより、１個の被覆板だけで複数の栽培植物に装着でき、広範囲の畝上面を良好に被覆でき、特に野菜、果物等植物の定植位置が互いに近接している場合などに有効である。
【発明を実施するための最良の形態】
【００２３】
以下、添付図面を参照しつつ本発明の実施の形態について説明する。本発明の野菜、果物等の基部土被覆板は、野菜、果物等の栽培植物の茎部分に係着させながら、該栽培植物の基部側土壌表面を覆う被覆手段であり、高温障害の防止、防草及び雨時の土のはね返りの防止等を図れる。図１ないし図３は、本発明の野菜、果物等の基部土被覆板（以下、「被覆板」という）の第１の実施形態を示している。本実施形態において、被覆板１０は、図２に示すように、例えば、ある程度成長したナス、トマト等の野菜、果物の栽培植物１００の地面から地上側に伸びた茎１０２部分の地面側に係着された状態で土壌表面を被覆する。野菜、果物の栽培植物１００は、例えば、土を盛り上げて形成した畝１０４の長手方向に沿って、一定間隔ごとに離隔させながら直列状に並べて植えられている。栽培植物１００は、例えば、キュウリ、ピーマン、ブロッコリ、レタス、サトイモ、ジャガイモ、タマネギ、ニンニク、メロン、スイカ、イチゴ、その他種々の野菜、果物等でよく、各々に応じて被覆板を使用できる。本実施形態において、野菜、果物等の茎部分とは、一般的な茎に限らず、つる状の茎等地面から地上に伸びた部分も含む。
【００２４】
本実施形態において、被覆板１０は、図１ないし図３に示すように、一枚の板部材からなり、茎１０２を貫通させる貫通部１２と、被覆板１０の外部からの挿入動作で茎１０２を貫通部１２に装着させる挿入路手段１４と、を有している。被覆板１０の本体部分は、例えば、厚さ５ｍｍ程度のダンボール紙板から形成されており、茎１０２を貫通部１２に装着させながら下面側を略地面に当接させた状態で土壌表面に配置される。被覆板１０は、例えば、平面視略矩形状に形成されており、略中央に設けられた貫通部１２を栽培植物１００の茎１０２に装着した状態で、該栽培植物の基部側周辺の土壌表面一体を被覆する。図１において、被覆板１０の４つの隅部は、それぞれ角が斜めに切り落とされており、角を鈍角にして栽培植物の葉等を傷付けにくくしている。
【００２５】
被覆板１０は、図４に示すように、種々の形状でもよい。図４（ａ）に示すように、平面視円形状に形成されていてもよく、長丸や楕円形状でも良い。図４（ｂ）、（ｃ）に示すように、三角形、五角形状等の任意の多角形状、或は図４（ｄ）に示すように略十字状の板で形成されていても良く、その他任意形状で形成されていても良い。これらの被覆板１０の左右端側を畝の形状に対応させて屈曲させて、後述する反り防止用屈曲部を設けても良い。
【００２６】
貫通部１２は、栽培植物１００の茎１０２を貫通させて被覆板１０を茎の貫通位置に装着させる貫通部分であり、被覆板１０を茎１０２との係着手段である。本実施形態において、貫通部１２は、図１、図２に示すように、被覆板１０の略中央を垂直に貫通した１個の円形状の貫通孔２０から形成されている。貫通孔２０は、栽培植物の茎１０２の成長を阻害しないように該茎１０２を遊挿状に通し得る程度の大きさで設けられている。
【００２７】
挿入路手段１４は、貫通部１２と連通しつつ貫通部から被覆板１０の外縁部に連続して設けられ、外部からの挿入動作により栽培植物の茎１０２部分を貫通部１２の貫通位置に装着させる挿入路手段である。本実施形態において、挿入路手段１４は、図１に示すように、被覆板１０を貫通孔２０から被覆板１０の外縁部に向けて連続して切り込んで設けられた切り込み２２から形成されている。切り込み２２は、例えば、鋭利な刃物等で貫通孔２０から被覆板の外縁部に向けて一直線に切り込まれており、図１上、上半部を左右に２分割してその両側部分の被覆板１０の本体部分に二股状の切り込み脚部２４ａ、２４ｂを形成しつつ、常時はその切り口面を互いに密着させた状態としている。被覆板１０を栽培植物の茎１０２に装着させる際には、切り込み脚部２４ａ、２４ｂを被覆板１０本体部に対して垂直方向に互いに逆方向に力を加えて湾曲させ、切り口面を離隔させて挿入路となる間隙を形成させる。その間隙を介して被覆板１０を栽培植物の茎１０２に挿入し、外茎１０２を貫通孔２０に配置させた状態で、ダンボール紙板の復帰力により、或は手で操作して切り込み脚部２４ａ、２４ｂを復帰させ、再び切り口面を密着状閉止状態にする。これにより、被覆板１０を栽培植物１００の茎１０２に簡単に装着させることできるとともに、茎部分への装着状態では被覆板１０が容易に離脱することがなく、被覆板１０による土壌表面の被覆状態が良好に維持される。一方、被覆板を撤去する際には、前記とは逆に操作して簡単に離脱させることができる。また、図１に示すように、切り込み２２の被覆板外縁側は、略Ｖ字状に切り欠きされて挿入口部２６が設けられており、挿入路手段に栽培植物１００の茎１０２部分を挿入しやすくしている。なお、挿入路手段１４は、切り込み２２に限らず、例えば、貫通部と被覆板の外縁とを連通させた挿入溝でもよい。
【００２８】
本実施形態において、図２に示すように、被覆板１０には、その外縁部の左右両端側がそれぞれ下側に屈曲されて、反り防止用の屈曲部１８が設けられている。屈曲部１８は、被覆板１０の一部を屈曲することにより被覆板１０自体の強度を向上させ、例えば、ダンボール紙板からなる被覆板が一端雨等で濡れた後、乾燥する際に、被覆板の外縁部が上面側へ反るのを防止する。屈曲部１８は、図３にも示すように、例えば、被覆板１０の左右両辺から内側に離隔した位置に形成された２本の平行な直線状の屈曲線１６（図１参照）に沿って、例えば、約１５０度程度の鈍角状の角度で下方に屈曲されており、被覆板１０を茎１０２に装着した際に、被覆板１０の下面側が畝１０４の上面に略沿うように設けられている。
【００２９】
次に、本実施形態に係る被覆板の作用について説明する。被覆板１０は、例えば、図２に示すように、畝に定植した栽培植物１００がある程度成長した際に、その栽培植物１００の基部側の土壌表面に設置される。被覆板１０を設置させる際には、挿入路手段１４である切り込み２２を広げた状態で、外部から被覆板を栽培植物の茎１０２部分に挿入動作させて、茎１０２部分を貫通孔２０に配置させる。そして、再び切り口面を密着閉止させ、茎１０２の貫通位置への装着状態で被覆板１０を接地させながら該土壌表面を被覆させる。上記のように被覆板１０の栽培植物１００の基部側の土壌表面への配置は、被覆板１０の栽培植物の茎部分への挿入動作だけでよいので、簡単かつ短時間で、しかも少ない労力で行うことできる。被覆板１０が栽培植物の基部側の土壌表面を覆うことにより、例えば、晴天時に該土壌表面に太陽光があたるのを防止して土壌の温度上昇、土壌の乾燥及び雑草の生育を防止するとともに、雨天時に雨を受け止めて土のはね返りによる栽培植物の葉や果実等への泥の付着を防止し、野菜、果物等の栽培を良好に行うことができる。被覆板１０には、反り防止用の屈曲部１８が形成されているので、雨に濡れた後、乾燥した際にも上面側へ反ることがなく、土壌表面の被覆状態を良好に維持できる。一方、被覆板１０を離脱する際も上記と逆の操作で簡単かつ短時間で作業を行うことができる。また、被覆板がダンボールから形成されているので、撤去作業を行わなくても、時間が経つと自然と分解するので、土壌環境を悪化させることもなく、処分、廃棄作業等の労力を軽減できる。さらに、被覆板１０は、ダンボールから形成されているので軽量で容易に持ち運びできるとともに材料コストが安価であり、被覆板の製造も板部材に切り込みや孔等を設けるだけの簡単な工程だけでよく、コストも低廉である。
【００３０】
また、図５、図６には、挿入路手段１４の他の実施形態を示しており、上記実施形態と同一部材には同一符号を付し、その詳細な説明を省略する。図５、図６において、挿入路手段２２は、切り込み脚部の一方（２４ｂ）に切り込み２２に沿うように設けられた細長状耳部３４を有している。細長状耳部３４は、折り目３６位置から切り込み線を含んで押し立て、復帰自在に形成されており、常時はダンボールからなる被覆板１０の復帰力により切り口面を密着閉止状態としている。この細長状耳部３４を上に押し立てることによって、貫通孔２０から外縁部へ連通する挿入路を形成させ、簡単に被覆板の挿入動作を行うことができるとともに、被覆板の栽培植物の茎部分への装着時には、切り口面を密着閉止させて被覆板の離脱を防止できる。細長状耳部３４を設けることにより、上記実施形態の切り込み２２のみの場合よりも、確実かつ容易に良好な挿入路手段を実現できると同時に、被覆板を湾曲させなくてすむので被覆板１０自体の損傷も低減できる。図５においては、折り目３６が挿入口２６から貫通孔２０に向けて切り込み２２に徐々に近接するよう斜めに向けて形成されて、細長状耳部３４が略三角形状に設けられており、細長状耳部３４の押し立て時には挿入口部側が広がった挿入路が形成されて、挿入動作を行いやすいように設けられている。なお、折り目３６は、逆に、貫通部側が広がるように形成したり、切り込み２２と平行に形成しても良く、切り込みに沿った位置であれば任意でも良い。
【００３１】
図７は、被覆板１０の他の実施形態を示しており、上記実施形態と同一部材には同一符号を付しその詳細な説明を省略する。図７において、被覆板１０は、平面視横長略矩形状で形成されている。被覆板１０は、屈曲部１８を有しておらず、断面視略直線状態で茎に装着されて土壌表面側を被覆する。この実施形態において、挿入路手段１４は、貫通孔２０と被覆板１０の外縁部とを連通するように直線状の挿入溝３２から形成されている。挿入路手段１４が挿入溝３２の場合には、被覆体の栽培植物の茎への挿入動作時に、切り口面を離隔させたりする操作が不要なので被覆板の茎１０２への挿入動作が行いやすく、労力も軽減できる。
【００３２】
図８は、貫通部１２の他の実施形態を示している。図８（ａ）において、被覆板１０は、上記実施形態同様にダンボール紙板からなり、平面視略矩形状に形成されており、その略中央には、貫通部１２が設けられている。貫通部１２には、その中心から外側に向けて略米印状に放射状に切り込まれた押し立て用の切り込み２８が形成されており、その切り込み２８により形成された８個の三角形状の切り込み片３０を有している。押し立て用切り込み２８は、その切り込みを挿入路手段である切り込み２２と直線状に連通させている。各切り込み片３０は、底辺側が被覆板１０の内縁側と一体化しており、その底辺側を屈曲して切り込み片を押し立てて栽培植物の茎部分を貫通させる貫通孔を形成する。切り込み片３０は、被覆板１０と一体的にダンボール紙板から形成されているので、押し立てた状態から手を離すとその頂点側が中心に向けて倒伏するように強く復帰する。図８（ｂ）に示すように、被覆板１０を栽培植物の茎に装着させる際には、切り込み片３０を上側に押し立てて茎１０２を貫通し得る貫通孔を形成して栽培植物の茎を貫通させ、切り込み片３０の復帰力により切り込み片３０が茎に略密着した状態で装着される。これにより、装着した際に、例えば、風等により被覆板が移動して茎や葉を傷つけるのを防止する。
【００３３】
また、図９に示すように、１個の被覆板１０に上記したような貫通部及び挿入路手段を複数個同時に設けた構成としても良い。例えば、被覆板１０は、畝１０４の長手方向に沿うように横長く設けられており、被覆板１０の略中央に並設された３個の貫通部を有し、それぞれの貫通部に連係する挿入路手段が設けられている。貫通部は、貫通孔２０から形成されており、定植された栽培植物の間隔に対応して離隔して配置されている。また、挿入路手段は、それぞれの貫通孔２０から被覆板の外縁上辺側に向けて縦方向に切り込まれた直線状の切り込み２２から形成されている。これにより、それぞれの貫通孔が畝１０４に定植されている複数の栽培植物の茎部分に同時に装着できるので、例えば、１個の被覆板で効率的に土壌表面を覆うことができ、特に栽培植物の定植位置が互いに近接している場合などに有効である。なお、貫通部と挿入路手段の個数は、３個に限らず、２個、４個以上の任意個数設けてもよい。また、反り防止用屈曲部が設けられていても良い。
【００３４】
本発明の野菜、果物等の基部土被覆板は、上記した実施形態に限るものでなく特許請求の範囲に記載した発明の本質を逸脱しない範囲において任意の改変を加えても良い。
【図面の簡単な説明】
【００３５】
【図１】本発明の実施形態にかかる被覆板の平面説明図である。
【図２】図１の被覆板を土壌表面に設置した状態の要部断面
【図３】図１の被覆板を土壌表面に設置した状態の斜視説明図である。
【図４】被覆板の種々の形状の実施例を示した説明図である。
【図５】他の実施形態の挿入路手段を備えた被覆板の平面説明図である。
【図６】図５の被覆板の作用説明斜視図である。
【図７】被覆板の他の実施形態の説明図である。
【図８】他の実施形態の貫通部を備えた被覆板の説明図である。
【図９】一枚の被覆板に複数の貫通部及び挿入路手段を設けた形態の説明図である。
【符号の説明】
【００３６】
１０  被覆板
１２  貫通部
１４  挿入路手段
１８  屈曲部
２０  貫通孔
２２  切り込み
３２  挿入溝
３４  細長状耳部
【図１】
2005034087.tif 000003
【図２】
2005034087.tif 000004
【図３】
2005034087.tif 000005
【図４】
2005034087.tif 000006
【図５】
2005034087.tif 000007
【図６】
2005034087.tif 000008
【図７】
2005034087.tif 000009
【図８】
2005034087.tif 000010
【図９】
2005034087.tif 000011